(57)【特許請求の範囲】
【請求項１】
複数の正極板と複数の負極板とが、セパレータを介して交互に積層された発電要素を有する複数の単電池と、
各単電池が電気的に接続された状態で、各単電池の上部を一体的に固定する電槽ケースと、
各単電池及び電槽ケースを収容すると共に、各単電池の各側面間に冷却媒体通路を形成した冷却ボックスと、
該冷却ボックスの上部に取り付けられて該冷却ボックスに収容された各単電池及び電槽ケースを封止する蓋体とを備え、
該蓋体には、電気的に接続された各単電池における正極側及び負極側の端子部に接続される電池端子部が設けられており、
該電槽ケースには、凹状の切欠部が形成され、該蓋体には、該凹状の切欠部に係合する凸部が形成されていることを特徴とする蓄電池。
【請求項２】
電槽ケースと蓋体とは、相互に溶着することによって一体的に接合されている、請求項１に記載の蓄電池。
【請求項３】
電槽ケースと蓋体とは、相互に接着することによって一体的に接合されている、請求項１に記載の蓄電池。
【請求項４】
蓋体にインサート形成された電池端子部は、冷却ボックスの冷却媒体によって冷却される、請求項１に記載の蓄電池。
【発明の詳細な説明】
【０００１】
【発明の属する技術分野】
本発明は、蓄電池に関し、特に複数の単電池を連結して所要の電力容量が得られるように集合電池の形態に構成された蓄電池に関する。
【０００２】
【従来の技術】
ニッケル−カドミウム蓄電池、ニッケル−水素蓄電池、水素蓄電池等からなる単電池を複数個連結して構成された大容量の蓄電池が、各種の家電製品、電気自動車等に利用されている。このような大容量の蓄電池では、通常、長方体状に構成された複数の単電池が相互に密接するように配置されて拘束されている。各単電池には、複数の正極板と複数の負極板とが電解液を含むセパレータを介して、それぞれ交互に積層されて収容されている。
【０００３】
このような単電池では、周囲温度が高い場合あるいは大電流によって放電した場合に各単電池に収納されている各極板等が十分に放熱されず、電池温度が上昇して電池寿命が低下するおそれがある。このような問題を解決するために、複数個の単電池を連結して構成された大容量の蓄電池を冷却するための以下のような構成が提案されている。
【０００４】
特開平６−２１５８０４号公報には、直方体状に構成されたモノブロック蓄電池の長手方向に沿った両側の壁面に沿ってそれぞれ側板を設けて、各壁面と各側板との間に冷媒通路（流体循環室）を形成し、この冷媒通路に冷媒を供給する構成が開示されている。
【０００５】
特開２０００−２５１９５０号公報には、直方体状に構成された複数の単電池をそれぞれの長手方向の側面同士が相互に対向するように配置して連結することによって形成された集合電池において、各単電池間に冷媒通路をそれぞれ形成するとともに、各冷媒通路にそれぞれ連通する冷媒通路を各単電池の短辺方向の側面に沿って形成して、各冷媒通路に冷媒を流す構成が開示されている。
【０００６】
【発明が解決しようとする課題】
上記の各従来例の蓄電池においては、所定の位置に連結された各単電池を冷却する冷却媒体として、水等の液状冷却媒体が用いられており、このような液状の冷却媒体が、正極板及び負極板及びセパレータから構成される発電要素に侵入することを防止するために、冷却媒体の冷媒通路と発電要素とを完全に遮断する構造を有している。
【０００７】
例えば、上記の特開平６−２１５８０４号公報では、極板等の発電要素を収納する上部が開放された槽とこの層の上部に取り付けられる蓋とから構成されるプラスチック材料ケースによって発電要素が冷媒通路から遮断された状態に封止される。
【０００８】
また、上記の特開２０００−２５１９５０号公報では、複数個の単電池が直列に相互に接合されて一体となった集合型密閉二次電池の上部に単一体の蓋体を接合することによって、単電池内の発電要素が冷媒通路から遮断された状態に封止されている。
【０００９】
しかし、これらの公報では、単電池を収納する槽に対して蓋を取り付ける際に、蓋を適正な位置に取り付けるための位置決め手段が設けられていないため、蓋を槽に正しく位置決めすることが容易ではない。蓋が槽に対して正しく位置決めされていない場合には、冷却媒体による単電池を冷却する効果が向上せず、また、振動等が発生し得る状態で使用した場合に、蓋が槽から外れ易く、冷却媒体が発電要素に侵入するおそれがある。
【００１０】
また、上記の蓄電池が放電時に発熱する部分は極板部分に限られない。特に、外部に接続される端子部分が過度に発熱すると、端子周囲の電槽ケースが発熱によって溶融する等の破損が発生するおそれがある。しかしながら、上記公報では、冷却媒体によって極板部が主として冷却されるが、端子部分の発熱を防止するための構成を有していない。
【００１１】
本発明は、上記問題点を解決するためになされたものであり、単電池を収納する電槽ケースと蓋とを正しく位置決めして配置することができる蓄電池を提供することを第１の目的とする。また、極板部のみならず、端子周辺の発熱を防止することができる蓄電池を提供することを第２の目的とする。
【００１２】
【課題を解決するための手段】
上記課題を解決するため、本発明の蓄電池は、複数の正極板と複数の負極板とが、セパレータを介して交互に積層された発電要素を有する複数の単電池と、各単電池が電気的に接続された状態で、各単電池の上部を一体的に固定する電槽ケースと、各単電池及び電槽ケースを収容すると共に、各単電池の各側面間に冷却媒体通路を形成した冷却ボックスと、該冷却ボックスの上部に取り付けられて該冷却ボックスに収容された各単電池及び電槽ケースを封止する蓋体とを備え、該蓋体には、電気的に接続された各単電池における正極側及び負極側の端子部に接続される電池端子部が設けられており、該電槽ケースには、凹状の切欠部が形成され、該蓋体には、該凹状の切欠部に係合する凸部が形成されていることを特徴とするものである。
【００１３】
上記本発明の蓄電池において、電槽ケースと蓋体とは、相互に溶着することによって一体的に接合されていることが好ましい。
【００１４】
上記本発明の蓄電池において、電槽ケースと蓋体とは、相互に接着することによって一体的に接合されていることが好ましい。
【００１５】
上記本発明の蓄電池において、蓋体にインサート形成された電池端子部は、冷却ボックスの冷却媒体によって冷却されることが好ましい。
【００１６】
【発明の実施の形態】
図１は、実施の形態に係る蓄電池１００を斜め正面方向から見た斜視図であり、図２は、図１の方向と反対の背面方向から、この蓄電池１００を見た斜視図である。この蓄電池１００は、集合電池を構成する複数個の単電池を高い冷却効率により冷却する。この蓄電池１００は、その内部に収容した複数個の単電池を冷却するための冷却ボックス１０と、この冷却ボックス１０を封止する蓋体２０とを有している。この冷却ボックス１０と蓋体２０とは、合成樹脂によって形成されている。
【００１７】
図３は、冷却ボックス１０から蓋体２０を取り除いた状態における蓄電池１００の斜視図である。この冷却ボックス１０には、３行×２列に配置され電気的に直列に接続された６つの単電池３０がフレーム状の電槽ケース４０に一体化された状態で収容されている。この電槽ケース４０は、合成樹脂によって形成されている。この電槽ケース４０の各端部には、単電池３０を冷却する冷却媒体である冷却水を注入および排出するための円筒状の入口オリフィス４１及び出口オリフィス４２がそれぞれ上方に突出するように設けられている。
【００１８】
図４は、３行×２列に配置された各単電池３０を電槽ケース４０に一体的に結合した状態を示す斜視図である。図５は、さらに電槽ケース４０を取り除いた状態における３行×２列に単電池３０を配置した状態を示す斜視図である。
【００１９】
各単電池３０は、図５に示すように、後述の正極板及び負極板及びセパレータによって構成される発電要素を収容した電槽３１を有している。各電槽３１は、厚さに対して幅方向寸法が大きい薄い長方体状に構成されており、厚さ方向側面３２と厚さ方向側面３２よりも幅の広い幅方向側面３３とを有する長方体状に形成されている。各電槽３１は、合成樹脂によって形成されている。各電槽３１の内部には、複数の正極板及び負極板が希硫酸等を保持した格子状のセパレータをそれぞれ介して交互に積層された発電要素がそれぞれ収容されている。正極板及び負極板を構成する各極板は、幅方向側面３３に対してそれぞれ平行な状態になっている。各電槽３１の幅方向側面３３には、それぞれが円柱状の複数の突起部３４が一定の間隔を空けて均一に分布されるように設けられている。
【００２０】
電槽ケース４０は、図４に示すように、３行×２列に配置された各単電池３０の上部を拘束して一体化するように、一対の幅方向側面保持部４３と一対の厚さ方向側面保持部４４とによって長方形の枠状に形成されている。長方形の枠状に形成された電槽ケース４０の内部は、一対の厚さ方向側面保持部４４によって長手方向に３等分されるとともに、１つの幅方向側面保持部４３によって幅方向に２等分されて、３行２列の中空部分が形成されている。そして、各中空部分に各単電池３０の上部がそれぞれ嵌合されている。電槽ケース４０は、各単電池３０の電槽３１と溶着または接着によって接合されている。
【００２１】
図４及び図５を参照すると、各列を構成する３つの単電池３０は、それぞれの厚さ方向側面３２同士が対向するように配置されており、各行を構成する２つの単電池３０は、それぞれの幅方向側面３３同士が対向するように配置されている。
【００２２】
一方の端部において１行を構成する一対の単電池３０を除く他の４つの単電池３０の上部には、電槽３１内に収容されているすべての正極板に一括して接続された正極板側のストラップ３５と、電槽３１内に収容されているすべての負極板に一括して接続された負極板側のストラップ３５とがそれぞれ設けられている。各ストラップ３５は、断面Ｌ字形状に構成されている。そして、これら４つの単電池３０における列方向に隣接する単電池３０同士は、一方の単電池３０の正極板側のストラップ３５と他方の単電池３０の負極側のストラップ３５とが、両単電池３０間の厚さ方向側面保持部４４に設けられた貫通孔を介して電気的に接続されることによって直列に接続されている。
【００２３】
他の４つの単電池３０のうち他方の端部において１行を構成する一対の単電池３０同士は、一方の単電池３０の正極側のストラップ３５と、他方の単電池３０の負極側のストラップ３５とが、両単電池間の幅方向側面保持部４３に設けられた貫通孔を介して電気的に接続されることによって直列に接続されている。
【００２４】
一方の端部において１行を構成する一対の単電池３０の一方には、電槽３１内に収容されているすべての正極板に一括して接続された正極側のストラップ３５と、電槽３１内に収容されているすべての負極板に一括して接続された負極側の端子部３６とが上部に設けられており、１行を構成する一対の単電池３０の他方には、電槽３１内に収容されているすべての負極板に一括して接続された負極側のストラップ３５と、電槽３１内に収容されているすべての正極板に一括して接続された正極側の端子部３６とが上部に設けられている。
【００２５】
そして、一方の単電池３０の正極側のストラップ３５と、この単電池３０に対して列方向に隣接する単電池３０の負極側のストラップ３５とが、両単電池間の厚さ方向側面保持部４４に設けられた貫通孔を介して電気的に接続されることによって直列に接続されており、他方の単電池３０の負極側のストラップ３５と、この単電池３０に対して列方向に隣接する単電池３０の正極側のストラップ３５とが、両単電池間の厚さ方向側面保持部４４に設けられた貫通孔を介して電気的に接続されることによって直列に接続されている。このように、３行×２列に配置された６つの単電池３０はＵ字状に直列に接続されている。
【００２６】
入口オリフィス４１及び出口オリフィス４２は、電槽ケース４０の各端部に位置する厚さ方向側面保持部４４の中央部の外側にそれぞれ設けられている。
【００２７】
図６は、冷却ボックス１０の斜視図である。この冷却ボックス１０は、上面が開放された中空の略長方体になっている。この冷却ボックス１０の開放された上面には、電槽ケース４０に一体化された２行×３列の単電池３０が上方から挿入される。挿入された単電池３０と冷却ボックス１０の内壁面１１との間には、適当な空間が形成されている。この冷却ボックス１０の内壁面１１には、それぞれ上下方向に沿って延びる複数のリブ１２が互いに適当な間隔を空けて平行に形成されている。冷却ボックス１０の中に収容された各単電池３０の電槽３１における幅方向側面３３に形成された突起部３４は、冷却ボックス１０の内壁面１１に設けられた上下方向に沿った各リブ１２に突き合わされて、超音波によって各リブ１２にそれぞれ溶着されるようになっている。したがって、冷却ボックス１０の内壁面１１における各リブ１２と各単電池３０の突起部３４との間には上下方向に沿った空間が形成される。
【００２８】
図７は、蓋体２０を図２と同じ方向から見た斜視図である。この蓋体２０の一方の端部には、直列に接続された３行×２列の単電池３０を蓄電池１００の外側に接続するための２本の電池端子２１が上方に突出するように設けられており、冷却ボックス１０の一方の端部に配置された一対の単電池３０の各端子３６にそれぞれ電気的に接続されるようになっている。また、各端部には、電槽ケース４０に突設された入口オリフィス４１及び出口オリフィス４２がそれぞれ貫通するようにオリフィス装着穴２２及び２３が形成されている。
【００２９】
６つの単電池３０を一体化した電槽ケース４０が冷却ボックス１０の上部から挿入されると、冷却ボックス１０内の電槽ケース４０上に蓋体２０が装着される。蓋体２０が冷却ボックス１０内の電槽ケース４０上に装着されると、図２に示すように、この蓋体２０に形成されたオリフィス装着穴２２及び２３内を入口オリフィス４１及び出口オリフィス４２が、それぞれ貫通する。そして、蓋体２０は、電槽ケース４０及び冷却ボックス１０と、溶着または接着によって互いに接合される。
【００３０】
図８は、６つの単電池３０を一体にした電槽ケース４０を挿入し、蓋体２０を取り付けた状態の冷却ボックス１０の縦断面を示す斜視図であり、図９はその縦断面図である。図１０は、入口オリフィス４１の端部の縦断面を示す斜視図であり、図１１は、その縦断面図である。図１３は、この入口オリフィス４１及びその周辺部の縦断面を拡大して示す斜視図である。図１２は、この入口オリフィス４１を含む端部の縦断面及び横断面を示す斜視図である。
【００３１】
冷却ボックス１０の長手方向の一方の端部における上部外側には、厚み方向の全体にわたって中空の注入ヘッダ１３が設けられている。注入ヘッダ１３は、上面が開放されている。電槽ケース４０が冷却ボックス１０に挿入されると、電槽ケース４０の入口オリフィス４１が注入ヘッダ１３の中央部上に位置される。注入ヘッダ１３内には、入口オリフィス４１から冷却媒体が供給される。注入ヘッダ１３は冷却ボックス１０内に収容された単電池３０と冷却ボックス１０の内壁面１１との間の空間に連通している。
【００３２】
冷却ボックス１０の長手方向の他方の端部における上部外側には、厚み方向の全体にわたって中空の排出ヘッダ１４が設けられている。排出ヘッダ１４は、上面が開放されている。冷却ボックス１０に電槽ケース４０が挿入されると、電槽ケース４０の出口オリフィス４２が排出ヘッダ１４の中央部上に位置される。排出ヘッダ１４も冷却ボックス１０内に収容された単電池３０と冷却ボックス１０の内壁面１１との間の空間に連通しており、排出ヘッダ１４内には、単電池３０を冷却した冷却媒体が冷却ボックス１０から供給されて出口オリフィス４２から排出される。
【００３３】
次に、電槽ケース４０に設けられた凹部４０ａと蓋体２０に設けられた凸部２０ａとの関係を説明する。図１４は、実施の形態に係る冷却ボックス１０に収容された状態の電槽ケース４０を示す斜視図である。図１５は、この電槽ケース４０に形成された凹部を説明するための斜視図であり、図１６は、その要部斜視図である。図１７は、その正面図である。電槽ケース４０の４つの厚さ方向側面保持部４４のうち入口オリフィス４１に最も近い位置に設けられた厚さ方向側面保持部４４には、台形形状を有する２つの凹部４５が形成されている。この２つの凹部４５は、この厚さ方向側面保持部４４の蓋体２０と対向する位置に形成されており、入口オリフィス４１側に配置された２つの単電池３０のそれぞれに対応する位置に形成されている。
【００３４】
図１８は、実施の形態に係る蓄電池１００の蓋体２０に形成された凸部を説明するための斜視図であり、図１９は、その正面図である。蓋体２０には、電槽ケース４０の厚さ方向側面保持部４４に形成された２つの凹部４５とそれぞれ係合する２つの凸部２４が設けられている。この凸部２４の側面は台形形状を有しており、その台形の長辺が蓋体２０側に接している。
【００３５】
電槽ケース４０を収容した冷却ボックス１０に蓋体２０を装着すると、蓋体２０に形成された２つの凸部２４は、厚さ方向側面保持部４４に形成された２つの凹部４５とそれぞれ係合する。電槽ケース４０に設けられた入口オリフィス４１及び出口オリフィス４２は蓋体２０に設けられたオリフィス装着穴２２及び２３をそれぞれ貫通する。
【００３６】
以上のように本実施の形態によれば、蓋体２０に形成された２つの凸部２４が電槽ケース４０の厚さ方向側面保持部に形成された２つの凹部４５とそれぞれ係合するので、電槽ケース４０が収容された冷却ボックス１０と蓋体２０とを正しく位置決めすることができる。このため、電槽ケース４０が収容された冷却ボックス１０を蓋体２０によって確実に封止することができる。
【００３７】
また、このように電槽ケース４０の凹部４５に蓋体２０の凸部２４を嵌入係合させて封止状態とした後、この電槽ケース４０と蓋体２０とを相互に溶着または接着することにより一体的に接合するようにしてもよい。このように相互に溶着または接着を行うことにより、冷却ボックス内への各単電池の封止がより確実なものとなる。
【００３８】
この冷却ボックス１０と蓋体２０との封止は、蓋体２０に形成された凸部２４を電槽ケース４０の凹部４５に嵌入させるだけであり、簡単な構造であり、余分な構造物を介さないため、冷却ボックス１０に収容された単電池３０の冷却効率を向上させることができる。
【００３９】
また、上記構造により、蓋体２０が冷却ボックス１０に正しく位置決めして確実に封止することができるので、自動車用等の強い振動が加わる用途で用いられても、蓋体２０が冷却ボックス１０から外れにくく、冷媒通路から発電要素に冷媒が侵入することを防止することができる。
【００４０】
図２０は、６つの単電池３０を一体にした電槽ケース４０及び蓋体２０を取り付けた状態の冷却ボックス１０の、電池端子２１の断面に沿った縦断面を示す図である。図２１は、２本の電池端子２１のうちの１本が設けられた端部の縦断面を示す斜視図であり、図２２は、その縦断面図である。
【００４１】
蓋体２０が冷却ボックス１０に装着されると、２本の電池端子２１は、注入ヘッダ１３の上方に位置される。各電池端子２１はボルト状をしており、インサート成形により蓋体２０と一体に形成されている。蓋体２０が冷却ボックス１０に装着されると、この２本の電池端子２１は、３行×２列に配置された各単電池３０のうち一方の端部において１行を構成する一対の単電池３０にそれぞれ設けられた端子部３６と、蓋体２０に設けられた接続部材によって、それぞれ電気的に接続される。このように、この２本の電池端子２１は、直列に接続された３行×２列の単電池１００を外部と接続する。
【００４２】
図２３は、実施の形態に係る各単電池３０の電槽３１を底面方向から見た斜視図である。図２４は、図６の冷却ボックスを、ＡＯＡ’の垂直面で切り、上面方向から見たときの斜視図であって、冷却ボックス１０の内部に形成された底面及び内壁面を示している。図２３を参照すると、各電槽３１の底面３７には、複数の凹部３８が形成されている。この複数の凹部３８は円形形状を有しており、底面３７の４隅に各１個、２つの長辺および２つの短辺の各中央に各１個ずつ、さらに、底面３７の中央部に１個配置されており、合計９個の凹部３８が３行×３列のマトリックス状に形成されている。中央に配置された１個の凹部は、他の凹部よりも大径に形成されている、図２４を参照すると、冷却ボックス１０の内部に形成された底面１５には、各電槽３１の底面３７に形成された９個の凹部３８に対応する位置に、各９個の凹部３８とそれぞれ嵌入係合する９個の凸部１６が設けられている。この凹部３８と凸部１６とによって各電槽３１と冷却ボックス１０とが相互に位置決めされ、冷却ボックス１０内に収容された各単電池は、封止された状態になる。
【００４３】
図２５は、実施の形態に係る蓄電池１００の冷却媒体通路を模式的に表す背面図である。前述したように、冷却ボックス１０には、３行×２列に配置された６つの単電池３０の電槽３１が収容されている。
【００４４】
図２５に示すように、冷却ボックス１０の両内壁面１１にそれぞれ対向する各単電池３０の外側のそれぞれの幅方向側面３３と、冷却ボックス１０の両内壁面１１との間にそれぞれ形成された空間によって両側の冷却媒体通路５１がそれぞれ形成されている。この冷却媒体通路５１は、幅方向側面３３と内壁面１１と幅方向側面３３に形成された突起部３４（図４）と内壁面１１に形成されたリブ１２（図６）とによって囲まれている。各電槽３１の内側において互いに対向する幅方向側面３３間には１本の冷却媒体通路５２が形成されている。この冷却媒通路５２は、幅方向側面３３と幅方向側面３３に形成された突起部３４（図４）とによって囲まれている。互いに対向する厚さ方向側面３２間には４本の冷却媒体通路５３が形成されており、各冷却媒体通路５３は冷却媒体通路５１及び５２とそれぞれ連通している。冷却媒体通路５１及び５２のそれぞれは、注入ヘッダ１３（図８）及び排出ヘッダ１４（図８）とそれぞれ連通している。
【００４５】
このような冷却媒体通路５１、５２及び５３を有する蓄電池においては、冷却媒体が入口オリフィス４１から注入されると、注入された冷却媒体の一部は注入ヘッダ１３を通って中央の冷却媒体通路５２を矢印５５に沿って流れ、冷却媒体通路５２を形成する幅方向側面を強制冷却する。冷却媒体の他の一部は、注入ヘッダ１３（図８）を通って両側の冷却媒体通路５１を矢印５４に沿ってそれぞれ流れ、冷却媒体通路５１を形成する幅方向側面３３をそれぞれ強制冷却する。中央の冷却媒体通路５２を流れる冷却媒体の一部は冷却媒体通路５２から分岐して矢印５６に沿って４本の冷却媒体通路５３をそれぞれ流れる支流を形成する。この冷却媒体通路５３を流れた冷却媒体は、両側の冷却媒体通路５１を流れる冷却媒体と合流する。冷却媒体通路５１、５２を流れた冷却媒体は、排出ヘッダ１４（図８）を通って出口オリフィス４２から排出される。
【００４６】
この冷却媒体通路５１及び５２を流れる冷却媒体は主たる流れである本流を形成し、冷却媒体通路５２から分岐して冷却媒体通路５３を流れる冷却媒体は従たる流れである支流を形成する。このように、この冷却体の主たる流れが幅方向側面３３に沿って厚さ方向側面３２に対して直交する方向に流れるように、冷却媒体通路５１及び５２が形成されている。
【００４７】
注入ヘッダ１３の上方には、図２２に示すように、２本の電池端子２１がそれぞれ配置されている。この２本の電池端子２１は、下方の注入ヘッダ１３を通過する冷却媒体と熱交換によって冷却される。このように、電池端子２１の下方に形成された注入ヘッダ１３を通過させてから、冷却媒体通路を経て排出ヘッダ１４から外部に排出するようにしたので、蓄電池の放電時に大電流が電池端子に流れても、電池端子２１を有効に冷却することができ、電池端子２１が過度に発熱して、電池端子周囲の部分がその発熱によって溶解する等の破損が発生することを防止することができる。
【００４８】
【発明の効果】
本発明の蓄電池によれば、電槽ケースには、凹状の切欠き部が形成され、蓋体には、この凹状の切欠き部に係合する凸部が形成されているため、電槽ケースの切欠部に蓋体の凸部を嵌入係合させるだけで、蓋体を冷却ボックスに正しく位置決めすることができ、簡単に冷却ボックス内に収容された各単電池を封止状態にすることができる。
【図面の簡単な説明】
【図１】実施の形態に係る蓄電池を斜め正面方向から見た外観を示す斜視図
【図２】実施の形態に係る蓄電池を斜め側面方向から見た外観を示す斜視図
【図３】実施の形態に係る蓄電池の、蓋を取り除いた状態における外観を示す斜視図
【図４】実施の形態に係る蓄電池の、電槽ケースにより一体化された複数の単電池の外観を示す斜視図
【図５】実施の形態に係る蓄電池の、互いに連結された複数の単電池の外観を示す斜視図
【図６】実施の形態に係る蓄電池の冷却ボックスの外観を示す斜視図
【図７】実施の形態に係る蓄電池の蓋体の外観図
【図８】実施の形態に係る電槽ケースを挿入し蓋体を取り付けた状態の冷却ボックスの縦断面を示す斜視図
【図９】実施の形態に係る電槽ケースを挿入し蓋体を取り付けた状態の冷却ボックスの縦断面図
【図１０】実施の形態に係る蓄電池の出口オリフィスを含む端部の縦断面を示す斜視図
【図１１】実施の形態に係る蓄電池の出口オリフィスを含む端部の縦断面図
【図１２】実施の形態に係る蓄電池の出口オリフィスおよびその周辺部の縦断面を拡大して示す斜視図
【図１３】実施の形態に係る蓄電池の出口オリフィスを含む端部の縦断面および横断面を示す斜視図
【図１４】実施の形態に係る、冷却ボックスに収容された状態の電槽ケースを示す斜視図
【図１５】実施の形態に係る蓄電池の電槽ケースに形成された凹部を説明するための斜視図
【図１６】実施の形態に係る蓄電池の電槽ケースの要部拡大斜視図
【図１７】実施の形態に係る蓄電池の電槽ケースに形成された凹部を説明するための正面図
【図１８】実施の形態に係る蓄電池の蓋体に形成された凸部を説明するための斜視図
【図１９】実施の形態に係る蓄電池の蓋体に形成された凸部を説明するための正面図
【図２０】実施の形態に係る蓄電池の冷却ボックスの電池端子の断面に沿った横断面を示す図
【図２１】実施の形態に係る蓄電池の電池端子が設けられた端部の縦断面を示す斜視図
【図２２】実施の形態に係る蓄電池の電池端子が設けられた端部の縦断面図
【図２３】実施の形態に係る単電池を底面方向から見た斜視図
【図２４】実施の形態に係る蓄電池の冷却ボックスの内部に形成された底面および内壁面を示す斜視図
【図２５】実施の形態に係る蓄電池の冷却媒体通路を模式的に表す平面図
【符号の説明】
１０  冷却ボックス
１１  内壁面
１５  底面
１６  凸部
２０  蓋体
３０  単電池
３１  電槽
３２  厚さ方向側面
３３  幅方向側面
３４  突起部
３７  底面
３８  凹部
４０  電槽ケース
５１、５２、５３  冷却媒体通路
１００  蓄電池
【図１】
0003770539.tif 000002
【図２】
0003770539.tif 000003
【図３】
0003770539.tif 000004
【図４】
0003770539.tif 000005
【図５】
0003770539.tif 000006
【図６】
0003770539.tif 000007
【図７】
0003770539.tif 000008
【図８】
0003770539.tif 000009
【図９】
0003770539.tif 000010
【図１０】
0003770539.tif 000011
【図１１】
0003770539.tif 000012
【図１２】
0003770539.tif 000013
【図１３】
0003770539.tif 000014
【図１４】
0003770539.tif 000015
【図１５】
0003770539.tif 000016
【図１６】
0003770539.tif 000017
【図１７】
0003770539.tif 000018
【図１８】
0003770539.tif 000019
【図１９】
0003770539.tif 000020
【図２０】
0003770539.tif 000021
【図２１】
0003770539.tif 000022
【図２２】
0003770539.tif 000023
【図２３】
0003770539.tif 000024
【図２４】
0003770539.tif 000025
【図２５】
0003770539.tif 000026